(57)【要約】【課題】  換気によって汚染要素が取り込まれるおそれがあっても、環境改善の実効性を確保することが可能な換気空調システムおよび換気空調制御方法を提供する。【解決手段】  換気装置１０と、空気清浄装置２０と、制御装置６０とを備えている。換気装置１０は、室内ＳＩの空気と室外ＳＯの空気とを入れ替えて室内ＳＩの換気を行う。空気清浄装置２０は、室内ＳＩに取り込まれる室外ＳＯの空気を清浄することができる。制御装置６０は、換気装置１０の換気制御と、空気清浄装置２０の清浄制御とを連動制御する。【選択図】        図１
2006098007.tif 000002
【特許請求の範囲】
【請求項１】
対象空間の空気と外部の空気とを入れ替えて前記対象空間の換気を行う換気装置と、
前記対象空間に取り込まれる前記外部の空気を清浄可能な空気清浄装置と、
前記換気装置の換気制御と、前記空気清浄装置の清浄制御とを連動制御する制御部と、
を備えた換気空調システム。
【請求項２】
前記空気清浄装置の清浄制御では、空気中の第１要素の清浄化が可能であり、
前記外部の空気に含まれる前記第１要素に関する第１要素外部情報を取得可能な外部情報取得部をさらに備え、
前記制御部は、前記第１要素外部情報に基づいて前記連動制御を行う、
請求項１に記載の換気空調システム。
【請求項３】
前記第１要素についての閾値情報を格納する記憶部をさらに備え、
前記制御部は、前記第１要素外部情報と前記記憶部に格納された閾値情報とを比較することにより前記連動制御を行う、
請求項２に記載の換気空調システム。
【請求項４】
前記第１要素は、花粉，ＮＯｘ，ダストの少なくともいずれか１つを含む、
請求項２または３に記載の換気空調システム。
【請求項５】
前記制御部は、前記外部情報取得部が複数の前記第１要素外部情報を取得する場合に、各第１要素に応じて前記第１要素外部情報毎に重み付けをして得られる情報に基づいて前記連動制御を行う、
請求項２から４のいずれか１項に記載の換気空調システム。
【請求項６】
前記空気清浄装置の前記清浄制御では、空気中の前記第２要素を清浄化の対象とせず、
前記対象空間の空気に含まれる前記第２要素に関する第２要素対象情報を取得可能な対象情報取得部をさらに備え、
前記制御部は、前記第２要素対象情報に基づいて前記連動制御を行う、
請求項１から５のいずれか１項に記載の換気空調システム。
【請求項７】
前記第２要素は、少なくとも前記対象空間に居る生物によって生じる要素を含む、
請求項６に記載の換気空調システム。
【請求項８】
前記第２要素は、ＣＯ，ＣＯ2の少なくともいずれか１つを含む、
請求項６または７に記載の換気空調システム。
【請求項９】
前記制御部は、前記対象情報取得部が複数の前記第２要素対象情報を取得する場合に、各第２要素に応じて前記第２要素対象情報毎に重み付けをして得られる情報に基づいて前記連動制御を行う、
請求項６から８のいずれか１項に記載の換気空調システム。
【請求項１０】
前記空気清浄装置の清浄制御では、空気中の第１要素の清浄化が可能であり、空気中の前記第２要素を清浄化の対象とせず、
前記外部の空気に含まれる前記第１要素に関する第１要素外部情報を取得可能な外部情報取得部と、
前記対象空間の空気に含まれる前記第１要素に関する第１要素対象情報および前記第２要素に関する第２要素対象情報を取得可能な対象情報取得部と、
をさらに備え、
前記制御部は、前記第１要素外部情報と、前記第１要素対象情報との差異に応じて前記連動制御を行う、
請求項１に記載の換気空調システム。
【請求項１１】
前記制御部は、前記換気装置を運転開始させると同時に、前記空気清浄装置の清浄運転を開始させるか若しくは前記清浄運転を強める、
請求項１から１０のいずれか１項に記載の換気空調システム。
【請求項１２】
前記空気清浄装置は、前記対象空間に取り込まれる前に前記外部の空気を清浄化させる、
請求項１から１１のいずれか１項に記載の換気空調システム。
【請求項１３】
前記空気清浄装置は、前記対象空間において前記清浄制御を行う、
請求項１から１１のいずれか１項に記載の換気空調システム。
【請求項１４】
対象空間の空気と外部の空気とを入れ替えて前記対象空間の換気を行う換気装置を制御部が換気制御する換気空調制御方法であって、
前記対象空間に取り込まれる前記外部の空気を清浄可能な空気清浄装置の清浄制御の制御状態と、前記換気装置の換気制御の制御状態との少なくともいずれか一方の情報を取得する第１ステップと、
前記制御部が、前記取得した制御状態に基づいて、前記換気制御と前記清浄制御との連動制御を行う第２ステップと、
を備えた換気空調制御方法。
【発明の詳細な説明】
【技術分野】
【０００１】
本発明は、換気空調システムおよび換気空調制御方法、特に、対象空間の空気と外部の空気とを入れ替えるための換気装置によって換気を行う換気空調システムおよび換気空調制御方法に関する。
【背景技術】
【０００２】
従来から、室内を快適な環境にするために、室内の汚れた空気を室外に排出し、室外の新鮮な空気を室内に取り込むことで換気を行う換気システムが考案されている。例えば、以下の特許文献１に示すように、室内のＣＯ2濃度を検出するＣＯ2センサが設けられた換気システム等が提案されている。この換気システムでは、設定値を越えたＣＯ2濃度が検出されて室内が汚染状態にあると判断した場合に、自動的に換気動作を開始させる換気制御を行っている。この換気制御によると、室内のＣＯ2濃度を所定の濃度以下の状態に維持することができ、室内の空気を新鮮な状態に維持することができるようになる。
【特許文献１】特開平５−８７３８１号公報
【発明の開示】
【発明が解決しようとする課題】
【０００３】
しかし、上述した従来の換気システムでは、室内のＣＯ2濃度に着目した換気制御によって新鮮な空気を取り込んで汚れた空気を吐き出すことでＣＯ2濃度の改善が可能になるが、この場合、他の汚染要素を同時に室内に取り込んでしまうおそれがある。このように、従来の換気システムでは、室外の汚染要素が取り込まれてしまうおそれがあり、室内の環境改善の実効性を確保することが困難になる場合がある。
【０００４】
本発明は上述した点に鑑みてなされたものであり、本発明の課題は、換気によって汚染要素が取り込まれるおそれがあっても、環境改善の実効性を確保することが可能な換気空調システムおよび換気空調制御方法を提供することにある。
【課題を解決するための手段】
【０００５】
第１発明に係る換気空調システムは、換気装置と、空気清浄装置と、制御部とを備えている。換気装置は、対象空間の空気と外部の空気とを入れ替えて対象空間の換気を行う。空気清浄装置は、対象空間に取り込まれる外部の空気を清浄することができる。制御部は、換気装置の換気制御と、空気清浄装置の清浄制御とを連動制御する。ここでの連動制御としては、例えば、換気装置と空気清浄装置とのいずれか一方が手動によって操作されて運転している場合に、これに伴って他方の装置が連動にて運転等されるような制御も含まれる。また、ここでの換気制御および清浄制御には、ＯＮ／ＯＦＦ制御だけでなく、換気運転・清浄運転の強化・弱化等も含まれる。また、ここでの空気には、ＣＯ，ＣＯ2，花粉，ＮＯｘ，ダスト等が含まれる。
【０００６】
従来の換気システムでは、室内における所定の汚染要素の濃度に着目して換気を行うことで、汚染要素の濃度を改善している。しかし、換気するに際して、所定の汚染要素以外の他の汚染要素を同時に室内に取り込んでしまうおそれがあり、従来の換気システムでは、室内の環境改善の実効性を確保することが困難になる場合がある。
これに対して第１発明の換気空調システムでは、制御部が、換気装置の換気制御と、空気清浄装置の清浄制御とを連動制御する。このため、換気装置の換気運転によって対象空間に取り込もうとする空気に汚染要素が含まれている場合であっても、空気清浄装置が連動して清浄運転するように連動制御され、対象空間の汚染要素の濃度を抑えることができるようになる。このため、換気によって対象空間に汚染要素が取り込まれるおそれがあっても、対象空間の環境改善の実効性を確保することが可能になる。
【０００７】
第２発明に係る換気空調システムは、第１発明の換気空調システムであって、外部情報取得部をさらに備えている。空気清浄装置の清浄制御では、空気中の第１要素の清浄化が可能である。また、外部情報取得部では、外部の空気に含まれる第１要素に関する第１要素外部情報を取得することができる。そして、制御部は、第１要素外部情報に基づいて連動制御を行う。ここでの第１要素としては、例えば、空気清浄装置において清浄対象要素とされている要素や、清浄対象要素に設定されている要素等が含まれる。
【０００８】
ここでは、空気清浄装置によって清浄化が可能な第１要素に関して外部の空気の第１要素外部情報を取得することができるため、外部の空気に含まれる第１要素に関する情報を連動制御に反映させることが可能になる。このため、対象空間の快適性が損なわれにくいようにすることが可能になる。
例えば、外部の空気に含まれる第１要素が多くて、外部の空気が汚れていると判断された場合には、換気装置における換気運転を抑えるように連動制御することで、対象空間の快適性が損なわれにくいようにすることができる。また、外部の空気の第１要素が少なくて、外部の空気が汚れていないと判断された場合には、換気装置の換気運転を積極的に強めるように連動制御を行うことで、対象空間の第１要素を低減させるための空気清浄装置における負担を軽減させることが可能になる。
【０００９】
第３発明に係る換気空調システムは、第２発明の換気空調システムであって、第１要素についての閾値情報を格納する記憶部をさらに備えている。制御部は、第１要素外部情報と記憶部に格納された閾値情報とを比較することにより連動制御を行う。
ここでは、制御部が、第１要素外部情報と記憶部に格納された閾値情報とを比較することで、外部の空気の第１要素に関する状態について判断することができるようになる。このため、例えば、第１要素外部情報と閾値情報との比較により、外部の空気の第１要素が所定の閾値より少ないと制御部が判断した場合には、外部の空気を積極的に取り込むように連動制御を行うことができる。また、外部の空気の第１要素が所定の閾値より多いと制御部が判断した場合には、外部の空気の取り込みを控えるように連動制御を行うことができる。これにより、対象空間の快適性をより確実に確保することが可能になる。
【００１０】
第４発明に係る換気空調システムは、第２発明または第３発明の換気空調システムであって、第１要素は、花粉，ＮＯｘ，ダストの少なくともいずれか１つを含んでいる。
ここでは、空気清浄装置が、花粉，ＮＯｘ，ダストの少なくともいずれか１つを清浄化させることができる。このため、換気装置の換気運転によって対象空間に取り込もうとする空気に花粉，ＮＯｘ，ダストの少なくともいずれか１つの汚染要素が含まれている場合であっても、空気清浄装置が連動して清浄運転することで、対象空間の第１要素の濃度を抑えることが可能になる。
【００１１】
第５発明に係る換気空調システムは、第２発明から第４発明のいずれかの換気空調システムであって、制御部は、外部情報取得部が複数の第１要素外部情報を取得する場合に、各第１要素に応じて第１要素外部情報毎に重み付けをして得られる情報に基づいて連動制御を行う。
空気清浄装置が複数の第１要素を対象として清浄運転を行う場合には、ある第１要素の濃度が設定値よりも高く、他の第１要素の濃度が設定値よりも低い場合等、各第１要素の濃度と対応する設定値との関係が異なる場合がある。
【００１２】
ここでは、複数の第１要素を対象として清浄運転を行う場合に、各第１要素の濃度と対応する設定値との関係が異なる場合であっても、第１要素毎に重み付けを行うことで、ユーザの希望に添った連動制御を行うことが可能になる。
例えば、花粉症でないユーザが本換気空調システムを利用する場合には、花粉に対する重み付けを他の第１要素よりも減らせる等の処理を行うことができる。このため、花粉を気にしないユーザが本換気空調システムを利用する場合の空気清浄装置の不必要な清浄運転を抑えることが可能になり、省エネ化を図ることができるようになる。
【００１３】
第６発明に係る換気空調システムは、第１発明から第５発明のいずれかの換気空調システムであって、対象情報取得部をさらに備えている。空気清浄装置の清浄制御では、空気中の第２要素を清浄化の対象としていない。そして、対象情報取得部は、対象空間の空気に含まれる第２要素に関する第２要素対象情報を取得することができる。制御部は、第２要素対象情報に基づいて連動制御を行う。なお、ここでの第２要素としては、例えば、換気空調システムに適応されている空気清浄装置において清浄対象要素となっていない要素、清浄対象要素として設定されていない要素等が挙げられる。
【００１４】
対象空間の空気に含まれる第２要素は空気清浄装置による清浄運転の対象とされていないため、空気清浄装置による環境改善を図ることが難しい。このため、第２要素についての環境改善を図るためには、換気装置による換気を行う必要がある。
これに対して、ここでは、対象情報取得部が第２要素対象情報を取得するため、制御部が、対象空間の第２要素の状況に応じて換気装置を制御することが可能になる。このため、対象空間における第２要素が所定の量を超えないように維持する換気制御を行うことが可能になる。
【００１５】
なお、本第６発明を第２発明に対して適用することにより、制御部は、外部情報取得部と内部情報取得部における各情報に基づいて、換気装置および空気清浄装置の各運転を連動制御することが可能になる。これにより、外部の空気が所定の条件を満たす場合において換気装置が換気運転することによる第１要素および第２要素の低減化と、空気清浄装置が清浄運転することによる第２要素の低減化とを同時に実行する制御が可能になる。
【００１６】
第７発明に係る換気空調システムは、第６発明の換気空調システムであって、第２要素は、少なくとも対象空間に居る生物によって生じる要素を含んでいる。
ここでは、対象空間に居る生物によって生じる要素が、対象空間において所定の量を超えないように維持する換気制御が可能になる。
第８発明に係る換気空調システムは、第６発明または第７発明の換気空調システムであって、第２要素は、ＣＯ，ＣＯ2の少なくともいずれか１つを含んでいる。
【００１７】
ここでは、換気装置の換気運転によって、ＣＯ，ＣＯ2の少なくともいずれか１つの量を低減させることができる。このため、対象空間の空気にＣＯ，ＣＯ2の少なくともいずれか１つの汚染要素が含まれている場合であっても、換気装置が、対象空間におけるＣＯ，ＣＯ2の少なくともいずれか１つの汚染要素の濃度を抑えることが可能になる。
第９発明に係る換気空調システムは、第６発明から第８発明のいずれかの換気空調システムであって、制御部は、対象情報取得部が複数の第２要素対象情報を取得する場合に、各第２要素に応じて第２要素対象情報毎に重み付けをして得られる情報に基づいて連動制御を行う。
【００１８】
対象情報取得部が複数の第２要素対象情報を取得する場合には、ある第２要素の濃度が設定値よりも高く、他の第２要素の濃度が設定値よりも低い場合等、各第２要素の濃度と対応する設定値との関係が異なる場合がある。
ここでは、複数の第２要素を対象として清浄運転を行う場合に、各第２要素の濃度と対応する設定値との関係が異なる場合であっても、第２要素毎に重み付けを行うことで、ユーザの希望に添った連動制御を行うことが可能になる。
【００１９】
例えば、ＣＯ2濃度が上昇してもかまわない環境下で本換気空調システムを利用する場合には、ＣＯ2濃度に対する重み付けを他の第２要素よりも減らせる等の処理を行うことができる。このため、ＣＯ2濃度が上昇してもかまわない環境下で本換気空調システムを利用する場合の換気装置の不必要な換気運転を抑えることが可能になり、省エネ化を図ることができるようになる。
【００２０】
第１０発明に係る換気空調システムは、第１発明の換気空調システムであって、外部情報取得部と、対象情報取得部とをさらに備えている。空気清浄装置の清浄制御では、空気中の第１要素の清浄化が可能であり、空気中の第２要素を清浄化の対象としない。そして、外部情報取得部は、外部の空気に含まれる第１要素に関する第１要素外部情報を取得することができる。対象情報取得部は、対象空間の空気に含まれる第１要素に関する第１要素対象情報および第２要素に関する第２要素対象情報を取得することができる。これにより、制御部は、第１要素外部情報と第１要素対象情報との差異に応じて連動制御を行う。
【００２１】
ここでは、空気清浄装置の清浄制御に対象とされていない第２要素について、対象情報取得部が、対象空間における第２要素に関する第２要素対象情報を取得することができる。このため、制御部は、空気清浄装置によって改善されない第２要素についても、換気装置を対象情報取得部における情報に応じて換気運転させることで、対象空間における第２要素の増加を抑えることができる。また、ここでは、外部情報取得部が、外部の空気に含まれる第１要素に関する第１要素外部情報を取得することができ、対象情報取得部は、対象空間の空気に含まれる第１要素に関する第１要素対象情報を取得することができる。このため、制御部は、第１要素に関して、対象空間における情報と外部の空間における情報との両情報を比較しながら、換気装置と空気清浄装置とを連動制御することができる。したがって、制御部は、対象空間の空気と外部の空気との第１要素の差異に応じて、外部の空気の取り込みを積極的に行う換気制御を行ったり、外部の空気の取り込みを控える換気制御を行ったりする等、換気装置の換気運転を調整することができるようになる。これにより、対象空間における第２要素の増加を抑えつつ、換気装置の換気運転を調整することができるようになる。
【００２２】
例えば、対象空間の第１要素が設定値の濃度よりも低い状態で換気運転を行う必要がない状況であっても、外部の空気の第１要素が対象空間の空気の第１要素よりも少ない場合等には、制御部は、積極的に換気運転を強化させるように換気装置を制御することにより、空気清浄装置の負担を抑えて省エネを図りつつ対象空間を快適にできるようになる。
また、例えば、対象空間の第２要素が設定値の濃度よりも低い状態で換気運転を行う必要がないが対象空間の第１要素が設定値の濃度よりも高いために清浄運転によって環境改善を行う必要がある状況において、制御部は、対象空間における第１要素の濃度と外部の空間における第１要素の濃度との両濃度を比較しながら、換気装置と空気清浄装置とを連動制御することができる。このため、制御部は、外部の空気と対象空間の空気とを比較・判断することで、外部の空気を積極的に取り込む換気制御を行う場合と、外部の空気の取り込みを控える換気制御を行う場合とを判断することが可能になる。
【００２３】
第１１発明に係る換気空調システムは、第１発明から第１０発明のいずれかの換気空調システムであって、制御部は、換気装置を運転開始させると同時に、空気清浄装置の清浄運転を開始させるか若しくは清浄運転を強める。
換気装置によって換気運転を行う場合には、対象空間に対して第１要素を含んだ空気が取り込まれてしまう場合がある。
【００２４】
これに対して、第１１発明の換気空調システムでは、換気によって第１要素を含んだ空気が対象空間に取り込まれることがあっても、制御部が、換気装置を運転開始させると同時に、空気清浄装置の清浄運転を開始させるか若しくは清浄運転を強める制御を行う。このため、換気によって第１要素を含んだ空気が対象空間に取り込まれても、空気清浄装置が清浄運転しているため、迅速に清浄化させることができる。このため、対象空間における快適状態を維持しやすくすることができる。
【００２５】
例えば、外部の空気に花粉が多く含まれている場合であっても、対象空間における花粉の量が多くならないように迅速に空気清浄装置による清浄運転を行うことができ、快適な環境を維持することが可能になる。
第１２発明に係る換気空調システムは、第１発明から第１１発明のいずれかの換気空調システムであって、空気清浄装置は、対象空間に取り込まれる前に外部の空気を清浄化させる。
【００２６】
換気装置によって換気運転を行う場合には、対象空間に対して第１要素を含んだ空気が取り込まれてしまう場合がある。
これに対して、第１２発明の換気空調システムでは、換気による外部の空気を、対象空間に取り込まれる前に、空気清浄装置の清浄運転によって清浄化させる。このため、外部の空気に第１要素が含まれていても、対象空間に取り込まれる前に清浄化されるため、対象空間における快適状態をより確実に維持することが可能になる。
【００２７】
例えば、外部の空気に花粉が多く含まれている場合であっても、対象空間に入り込む花粉の量を低減させることができ、快適な環境をより確実に維持することが可能になる。
第１３発明に係る換気空調システムは、第１発明から第１１発明のいずれかの換気空調システムであって、空気清浄装置は、対象空間において清浄運転を行う。
ここでは、空気清浄装置は、対象空間において清浄運転を行う。このため、床置き型等の空気清浄装置であってもよく、対象空間における空気清浄装置の配置の自由度を向上させることができる。
【００２８】
第１４発明に係る換気空調制御方法は、対象空間の空気と外部の空気とを入れ替えて前記対象空間の換気を行う換気装置を制御部が換気制御する換気空調制御方法であって、第１ステップと第２ステップとの２つのステップを備えている。第１ステップでは、対象空間に取り込まれる外部の空気を清浄可能な空気清浄装置の清浄制御の制御状態と、換気装置の換気制御の制御状態との少なくともいずれか一方の情報を取得する。第２ステップでは、制御部が、取得した制御状態に基づいて、換気制御と清浄制御との連動制御を行う。ここでの連動制御としては、例えば、換気装置と空気清浄装置とのいずれか一方が手動によって操作されて運転している場合に、これに伴って他方の装置が連動にて運転等されるような制御も含まれる。また、ここでの換気制御および清浄制御には、ＯＮ／ＯＦＦ制御だけでなく、換気運転・清浄運転の強化・弱化等も含まれる。また、ここでの空気には、ＣＯ，ＣＯ2，花粉，ＮＯｘ，ダスト等が含まれる。
【００２９】
従来の換気制御方法では、室内における所定の汚染要素の濃度に着目して換気を行うという方法により、汚染要素の濃度を改善している。しかし、換気するに際して、所定の汚染要素以外の他の汚染要素を同時に室内に取り込んでしまうおそれがあり、従来の換気制御方法では、室内の環境改善の実効性を確保することが困難になる場合がある。
これに対して第１４発明の換気空調制御方法では、第２ステップにおいて、制御部は、第１ステップで取得した制御状態に基づいて、換気装置の換気制御と空気清浄装置の清浄制御との連動制御を行う。このため、換気装置の換気運転によって対象空間に取り込もうとする空気に汚染要素が含まれている場合であっても、空気清浄装置が連動して清浄運転するように連動制御され、対象空間の汚染要素の濃度を抑えることができるようになる。このため、換気によって対象空間に汚染要素が取り込まれるおそれがあっても、対象空間の環境改善の実効性を確保することが可能になる。
【発明の効果】
【００３０】
第１発明に係る換気空調システムでは、換気によって汚染要素が取り込まれるおそれがあっても、対象空間の環境改善の実効性を確保することが可能になる。
第２発明に係る換気空調システムでは、対象空間の快適性が損なわれにくいようにすることが可能になる。
第３発明に係る換気空調システムでは、外部の空気の第１要素に関する状態について判断することができるようになる。
【００３１】
第４発明に係る換気空調システムでは、換気装置の換気運転によって対象空間に取り込もうとする空気に花粉，ＮＯｘ，ダストの少なくともいずれか１つの汚染要素が含まれている場合であっても、空気清浄装置が連動して清浄運転することで、対象空間の第１要素の濃度を抑えることが可能になる。
第５発明に係る換気空調システムでは、第１要素毎に重み付けを行うことで、ユーザの希望に添った連動制御が可能になる。
【００３２】
第６発明に係る換気空調システムでは、対象空間における第２要素が所定の量を超えないように維持する換気制御を行うことが可能になる。
第７発明に係る換気空調システムでは、対象空間に居る生物によって生じる要素が、対象空間において所定の量を超えないように維持する換気制御が可能になる。
第８発明に係る換気空調システムでは、換気装置が、対象空間におけるＣＯ，ＣＯ2の少なくともいずれか１つの汚染要素の濃度を抑えることが可能になる。
【００３３】
第９発明に係る換気空調システムでは、各第２要素の濃度と対応する設定値との関係が異なる場合であっても、第２要素毎に重み付けを行うことで、ユーザの希望に添った連動制御を行うことが可能になる。
第１０発明に係る換気空調システムでは、対象空間における第２要素の増加を抑えつつ、換気装置の換気運転を調整することができるようになる。
【００３４】
第１１発明に係る換気空調システムでは、換気によって第１要素を含んだ空気が対象空間に取り込まれても、空気清浄装置が清浄運転しているため、迅速に清浄化させることができ、対象空間における快適状態を維持しやすくすることができる。
第１２発明に係る換気空調システムでは、外部の空気に第１要素が含まれていても、対象空間に取り込まれる前に清浄化されるため、対象空間における快適状態をより確実に維持することが可能になる。
【００３５】
第１３発明に係る換気空調システムでは、対象空間における空気清浄装置の配置の自由度を向上させることができる。
第１４発明に係る換気空調制御方法では、換気によって対象空間に汚染要素が取り込まれるおそれがあっても、対象空間の環境改善の実効性を確保することが可能になる。
【発明を実施するための最良の形態】
【００３６】
［換気空気システムの概略構成］
本発明の一実施形態が採用された換気空調システム１００の概略構成を図１に示す。
換気空調システム１００は、図１に示すように、室内ＳＩの空気と室外ＳＯの空気とを入れ替えて換気を行いつつ、室内ＳＩの空気の清浄度を向上させるための換気空調システム１００である。この換気空調システム１００は、換気装置１０、空気清浄装置２０、コントローラ３０、室内センサ４０、室外センサ５０、制御装置６０等によって構成されている。換気空調システム１００では、制御装置６０が、コントローラ３０、室内センサ４０、室外センサ５０等からの情報を得ることにより、換気装置１０と空気清浄装置２０との連動制御が行われる。
【００３７】
以下、各構成について詳細に説明する。
（換気装置）
換気装置１０は、図１に示すように、制御装置６０と接続されて室内ＳＩに配置され、制御装置６０によって換気制御されることで室内ＳＩの空気を室外ＳＯに向けて強制的に排出する。この強制的な排気に伴って、室内ＳＩのうち換気装置１０による排気が行われる場所以外の場所から、室外ＳＯの新鮮な空気が勝手に室内ＳＩに給気される。換気装置１０には、排出する風量を測定する風量センサ１１が内蔵されている。換気装置１０は、風量センサ１１によって測定された風量値を読み出す制御装置６０によって、換気制御される。
【００３８】
換気装置１０は、主として、空気清浄装置２０では調整されない室内ＳＩの空気中に存在する汚染要素（以下、「換気対象要素」という）を、室外ＳＯに向けて排出する。この換気装置１０は、後述する室内センサ４０によって検出される換気対象要素の濃度が換気設定値を超えた場合に、制御装置６０によって換気運転が開始されたり、換気運転が強められたりする。この室内センサ４０は、室内ＳＩにおけるＣＯ濃度、ＣＯ2濃度およびダスト濃度を検出する。したがって、この換気装置１０は、室内ＳＩに居る人間やペット等の生物から生じる汚染要素であるＣＯおよびＣＯ2を換気対象要素としている。このようにして換気装置１０の換気制御が行われることで、室内ＳＩにおけるＣＯ濃度およびＣＯ2濃度の上昇を抑えている。
【００３９】
（空気清浄装置）
空気清浄装置２０は、図１に示すように、室内ＳＩの天井に配置される。この空気清浄装置２０は、室内ＳＩの空気を吸い込み、フィルタ等を通過させることにより空気清浄装置２０において清浄対照とされている汚染要素（「清浄対象要素」という）を清浄化させ、清浄空気を得る。そして、空気清浄装置２０は、清浄空気を再び室内ＳＩに向けて吹き出す。これにより、空気清浄装置２０は、室内ＳＩの空気の清浄度を向上させて、室内ＳＩの快適性を維持している。この空気清浄装置２０は、室内センサ４０によって検出される清浄対象要素の濃度が清浄設定値を超えた場合に、制御装置６０によって運転が開始される。この室内センサ４０は、室内ＳＩにおける花粉濃度，窒素酸化物（以下、「ＮＯｘ」という）濃度，ダスト濃度等を検出する。したがって、この空気清浄装置２０は、室外ＳＯから室内ＳＩに侵入する汚染要素の花粉，ＮＯｘだけでなく、室内外を問わず生じるダスト等を清浄対象要素としている。このようにして空気清浄装置２０の清浄制御が行われることで、室内ＳＩにおける花粉濃度，ＮＯｘ濃度，ダスト濃度等の上昇を抑えている。
【００４０】
また、空気清浄装置２０には、花粉モード，ＮＯｘモード，ダストモード，ハイパワーターボモード，省エネ自動運転モード等の各種運転モードが設けられている。花粉モードでは、風量を変化させることにより室内ＳＩに気流を生じさせて、花粉が室内ＳＩの床に落ちる前に空気清浄装置２０に花粉を取り込み易くする運転モードである。ＮＯｘモードは、空気清浄装置２０に設けられている光触媒フィルタに対して紫外線を照射させて、光触媒を活性化させ、化学物質を分解させることにより空気の清浄化を行う運転モードである。ダストモードは、花粉モードとは異なる態様で風量を変化させて、埃を空気清浄装置２０に取り込み易くする運転モードである。ハイパワーターボモードは、吸い込みおよび吹き出しの風量を上げて、通常運転の場合と比べて室内ＳＩをより迅速に清浄化させる運転モードである。省エネ自動運転モードは、室内ＳＩの空気の清浄度合いに合わせて風量を調整する運転モードである。
【００４１】
なお、空気清浄装置２０の清浄動作に伴って、意図して清浄化しているのではない要素や、極々微少量だけ清浄化されるに過ぎない要素等、空気清浄装置２０において清浄対象として設定されていない要素は、ここでの清浄対象要素には含まれない。
（コントローラ）
コントローラ３０は、図１に示すように、制御装置６０に対して接続され、換気装置１０および空気清浄装置２０の運転制御に関する各種設定の操作を行うことができる。例えば、換気装置１０の運転を開始させたり運転の強弱を調整したり、空気清浄装置２０の運転モードを変更したり、連動制御の開始・終了の入力、換気設定値や清浄設定値等を入力することができる。このようにして、コントローラ３０が操作されると、コントローラ３０から制御装置６０に対して制御信号が送信される。制御装置６０は、この制御信号を受信して、換気装置１０および空気清浄装置２０の運転制御を行う。
【００４２】
また、コントローラ３０では、上述した空気清浄装置２０に設けられている、花粉モード，ＮＯｘモード，ダストモード，ハイパワーターボモード，省エネ自動運転モード等の各種運転モードを選択入力することができるようになっている。なお、コントローラ３０によって、花粉モード，ＮＯｘモード，ダストモード等を選択入力すると、ＣＰＵ６１が、後述する制御装置６０のメモリ６５に記憶されている重み付け設定データに応じて、所定の演算処理を行う。なお、この重み付け設定データについても、このコントローラ３０から設定入力することができる。
【００４３】
（室内センサ）
室内センサ４０は、図１に示すように、ＣＯセンサ４１、ＣＯ2センサ４２、室内ダストセンサ４３、室内清浄度検出部４５等とから構成されている。なお、ＣＯセンサ４１およびＣＯ2センサ４２によって検出される汚染要素は、上述した換気装置１０の換気対象要素となっている。また、室内ダストセンサ４３によって検出される汚染要素は、上述した空気清浄装置２０の清浄対象要素となっている。
【００４４】
ＣＯセンサ４１は、室内ＳＩにおけるＣＯを検出する。ＣＯ2センサ４２は、室内ＳＩにおけるＣＯ2を検出する。室内ダストセンサ４３は、室内ＳＩにおけるダストを検出する。室内清浄度検出部４５は、ＣＯセンサ４１、ＣＯ2センサ４２および室内ダストセンサ４３から得られる検出状況から、ＣＯ濃度、ＣＯ2濃度および室外ダスト濃度の各濃度を求め、制御装置６０に対して室内清浄度データを送信する。
【００４５】
（室外センサ）
室外センサ５０は、図１に示すように、花粉センサ５１、ＮＯｘセンサ５２、室外ダストセンサ５３、室外清浄度検出部５５等とから構成されている。なお、花粉センサ５１、ＮＯｘセンサ５２および室外ダストセンサ５３の各センサによって検出される汚染要素は、上述した空気清浄装置２０の清浄対象要素となっている。
【００４６】
花粉センサ５１は、室外ＳＯの花粉を検出する。ＮＯｘセンサ５２は、室外ＳＯのＮＯｘを検出する。室外ダストセンサ５３は、室外ＳＯのダストを検出する。室外清浄度検出部５５は、花粉センサ５１、ＮＯｘセンサ５２および室外ダストセンサ５３から得られる検出状況から、花粉濃度、ＮＯｘ濃度および室外ダスト濃度の各濃度を求め、制御装置６０に対して室外清浄度データを送信する。
【００４７】
（制御装置）
制御装置６０は、換気空調システムのブロック構成図の図２に示すように、ＣＰＵ６１と、メモリ６５等を有しており、換気装置１０，空気清浄装置２０，コントローラ３０，室内センサ４０，室外センサ５０等と通信線によって接続されている。この制御装置６０は、コントローラ３０から設定データを受信し、室内センサ４０と室外センサ５０とからそれぞれ室内清浄度データ、室外清浄度データおよび風量センサ１１の検出データ等を受信する。そして、制御装置６０のＣＰＵ６１は、受信した設定データ、室内清浄度データおよび室外清浄度データに基づいて演算処理を行うことで、換気装置１０の換気制御と空気清浄装置２０の清浄制御とを連動して制御する。
【００４８】
メモリ６５は、重み付け設定データを記憶している。この重み付け設定データは、換気装置１０を換気清浄する際に、ＣＰＵ６１が、換気対象要素であるＣＯおよびＣＯ2の各検出濃度値に対して重み付けをする場合に参照される。また、この重み付け設定データは、空気清浄装置２０を清浄制御する際に、ＣＰＵ６１が、清浄対象要素である花粉，ＮＯｘおよびダスト等の各検出濃度値に対して重み付け処理をする場合に参照される。
【００４９】
換気装置１０の換気制御では、ＣＰＵ６１が、換気装置１０に対して制御信号を送信することでファンの回転数を制御して、換気の風量を調整する。この換気制御では、ＣＰＵ６１が、室内清浄度データに基づいて、室内ＳＩの換気対象要素（ＣＯ，ＣＯ2）の各濃度に対して重み付け処理して得られる値（以下、「換気重み付け値」という）が換気設定値を超えたと判断した場合に、制御を実行する。この場合、制御装置６０は、換気装置１０が運転停止状態にあれば運転を開始させ、すでに運転状態にあれば換気運転を強めたり弱めたり、運転状態を維持したり、さらには運転を停止したりする。
【００５０】
また、空気清浄装置２０の清浄制御では、ＣＰＵ６１が、空気清浄装置２０に対して制御信号を送信することで花粉モード，ＮＯｘモード，ダストモード，ハイパワーターボモード，省エネ自動運転モード等の選択および運転の強弱の調整を行う。なお、この空気清浄装置２０の清浄制御は、上記換気装置１０の運転が開始されると同時に、清浄運転を開始して、所定時間の間運転を続行する。この清浄制御では、ＣＰＵ６１が、室内清浄度データと室外清浄度データとに基づいて、室内ＳＩの清浄対象要素（花粉，ＮＯｘ，ダスト）の各濃度に対して重み付け処理して得られる値（以下、「清浄重み付け値」という）が清浄設定値を超えたと判断した場合に、制御を実行する。制御装置６０のＣＰＵ６１は、清浄重み付け値に基づいて、花粉モード，ＮＯｘモード，ダストモードのいずれかを選択しつつ、運転の強弱を調整させて、空気清浄装置２０の清浄制御を行う。この場合、制御装置６０は、空気清浄装置２０が運転停止状態にあれば運転を開始させ、すでに運転状態にあれば換気運転を強めたり弱めたり、運転状態を維持したり、さらには運転を停止したりする。
【００５１】
ここでは、換気対象要素毎、清浄対象要素毎に重み付け処理を行うことで、ユーザの希望に添った制御を行うことが可能になっている。例えば、花粉症でないユーザが本換気空調システム１００を利用する場合には、花粉に対する重み付けを他の清浄対象要素よりも減らせて処理を行う。これにより、花粉を気にしないユーザが換気空調システム１００を利用する場合の空気清浄装置２０の不必要な清浄運転を抑えることが可能になり、省エネ化を図ることができる。
【００５２】
なお、換気制御では、ＣＰＵ６１が、換気対象要素の各濃度に対して重み付け処理して得られる値が換気設定値を超えていないと判断した場合であっても、清浄重み付け値が換気設定値を超えて清浄制御が行われる場合に、室内ＳＩの空気の清浄化を助けるように、換気装置１０を連動させて運転する制御を行う。具体的には、室内センサ４０の室内ダストセンサ４３から得られる室内清浄度データと室外センサ５０の室外ダストセンサ５３から得られる室外清浄度データとをＣＰＵ６１が比較する。そして、室外ＳＯのダスト濃度のほうが低い場合において、換気重み付け値が換気設定値を超えていない（換気運転自体は必要ない）場合であっても、制御装置６０は、上記比較における差異に応じて積極的に換気運転する換気制御を行う。このように、室内ＳＩを清浄化する必要があって換気する必要がない状態であっても、室外ＳＯの空気に含まれる空気清浄要素の濃度が少なく、清浄重み付け値が清浄設定値を超えていない状態であれば、積極的に換気装置１０の運転を行うことができる。これにより、清浄運転によるだけでなく、換気制御を伴わせることで迅速に室内ＳＩの空気を清浄化させることができ、空気清浄装置２０を省エネ運転させることが可能になる。ここでは、室外ＳＯの清浄対象要素の濃度が低ければ低いほど、換気運転を優先させる連動制御を行うことで、より省エネ効果を図っている。
【００５３】
［換気空気システムにおける連動制御のフロー］
以下、連動制御のフローチャートを示す図３を参照しながら、換気装置１０と空気清浄装置２０とが、制御装置６０によって連動制御されるフローを説明する。ここでの連動制御は、換気装置１０や空気清浄装置２０の少なくともいずれか一方が運転されている状態で開始されてもよいし、いずれの装置も運転されていない状態から開始されてもよい。
【００５４】
ステップＳ１では、制御装置６０が、コントローラ３０から制御開始の信号を受信することで、換気装置１０の換気制御と空気清浄装置２０の清浄制御との連動制御を開始する。
ステップＳ２では、制御装置６０が、室内センサ４０から室内清浄度データを受信する。
【００５５】
ステップＳ３では、制御装置６０のＣＰＵ６１が、室内清浄度データに基づいて重み付け処理を行い、室内重み付け値を算出する。そして、ＣＰＵ６１は、室内重み付け値と換気設定値とを比較して、室内重み付け値が換気設定値を越えているか否かを判断する。ここで、室内重み付け値が換気設定値を越えている場合には、ステップＳ４に移行する。また、室内重み付け値が換気設定値を越えていない場合には、ステップＳ５に移行する。
【００５６】
ステップＳ４では、制御装置６０が、換気装置１０が運転されていない場合には換気運転を開始させ、換気装置１０が運転されている場合には換気運転を強める換気制御を行う。
ステップＳ５では、制御装置６０が、換気装置１０の運転状態を維持して、ステップＳ７に移行する。
【００５７】
ステップＳ６では、制御装置６０が、空気清浄装置２０が運転されていない場合に、ステップＳ４において換気装置１０の運転開始・運転強化する換気制御を行うと同時に、空気清浄装置２０の運転を開始させる。ここでは、ステップＳ４の換気制御が行われてから所定時間の間、清浄制御を続行させる。
ステップＳ７では、制御装置６０が、室外センサ５０から室外清浄度データを受信する。
【００５８】
ステップＳ８では、制御装置６０のＣＰＵ６１が、室外清浄度データに基づいて重み付け処理を行い、室外重み付け値を算出する。そして、ＣＰＵ６１は、室外重み付け値と清浄設定値とを比較して、室外重み付け値が清浄設定値を越えているか否かを判断する。ここで、室外重み付け値が清浄設定値を越えている場合には、ステップＳ９に移行する。また、室外重み付け値が清浄設定値を越えていない場合には、ステップＳ１０に移行する。
【００５９】
ステップＳ９では、制御装置６０のＣＰＵ６１が、室内ＳＩのダスト濃度と室外重み付け値とを比較して、室外重み付け値が室内ＳＩのダスト濃度を越えているか否かを判断する。ここで、室外重み付け値が室内ＳＩのダスト濃度を越えている場合には、ステップＳ１０に移行する。また、室外重み付け値が室内ＳＩのダスト濃度を越えていない場合には、ステップＳ１１に移行する。
【００６０】
ステップＳ１０では、制御装置６０が、空気清浄装置２０の運転状態を、ステップＳ６の所定時間を超えても維持させる清浄制御を行う。
ステップＳ１１では、制御装置６０が、換気装置１０が運転されていない場合には運転を開始させ、換気装置１０の運転がされている場合には換気運転を強化させる換気制御を行う。また、ＣＰＵ６１は、空気清浄装置２０が所定時間の運転されている状態において、換気運転の状態およびステップＳ６において得られたダスト濃度の差異に応じて、清浄運転を調整する制御を行う。ここで、室外ＳＯの清浄対象要素の濃度が低い場合には、換気運転が強められることにより室内ＳＩが清浄化され、空気清浄装置２０による清浄運転を控えさせることができる。
【００６１】
ステップＳ１２では、制御装置６０が、コントローラ３０からの連動制御を終了させる旨の信号に基づいて、連動制御を継続するか否かを判断する。ここで、コントローラ３０からの連動制御を終了させる旨の信号があれば、ステップＳ１３に移行する。また、コントローラ３０からの連動制御を終了させる旨の信号がなければ、所定の時間間隔を置いてステップＳ２に移行し、上記各ステップＳ２〜Ｓ１２を繰り返す。
【００６２】
ステップＳ１３では、制御装置６０は、連動制御を終了させ、各換気装置１０および空気清浄装置２０をそれぞれ別個に制御する。
［本実施形態の換気空気システムの特徴］
（１）
一般に、換気システムでは、室内におけるＣＯ2等の汚染要素の濃度に着目して換気を行うことで、ＣＯ2等の汚染要素の濃度を低減させている。しかし、換気を行うに伴って、ＣＯ2等の汚染要素以外の他の汚染要素を室内に取り込んでしまうおそれがあり、このような換気システムでは、室内の環境改善の実効性を確保することが難しい。
【００６３】
これに対して、上記実施形態における換気空調システム１００では、制御装置６０のＣＰＵ６１が、換気装置１０の換気制御と、空気清浄装置２０の清浄制御とを連動して制御する。このため、換気装置１０の換気運転に伴って室外ＳＯの清浄対象要素（花粉，ＮＯｘ，ダスト等）が室内ＳＩに侵入するおそれがある場合であっても、空気清浄装置２０が連動して清浄運転され、室内ＳＩの換気対象要素の濃度だけでなく清浄対象要素の濃度についても低く抑えることができる。このため、換気を行うことに伴って室内ＳＩに汚染要素である清浄対象要素が侵入した場合であっても、室内ＳＩの環境改善の実効性を確保することができる。
【００６４】
また、室外ＳＯにおける清浄対象要素の濃度が高くて室外ＳＯの空気が汚れているとＣＰＵ６１が判断した場合には、制御装置６０は、換気装置１０の換気運転を抑えるように連動制御することで、室内ＳＩに対する清浄対象要素の進入を抑えて、室内ＳＩを快適に維持することができる。また、室外ＳＯにおける清浄対象要素の濃度が低くて室外ＳＯの空気が汚れていないとＣＰＵ６１判断した場合には、制御装置６０は、換気装置１０の換気運転を強めるように連動制御することで、室内ＳＩの清浄対象要素の濃度を迅速に低減でき、空気清浄装置２０の負担を減らして省エネを図ることができる。
【００６５】
また、制御装置６０は、換気装置１０を運転開始させると同時に、空気清浄装置２０の清浄運転を開始させるか若しくは清浄運転を強める連動制御を行う。このため、換気によって清浄対象要素を含んだ空気が室内ＳＩに侵入した場合であっても、空気清浄装置２０がすでに清浄運転を開始しているため、迅速に清浄化することができる。このため、対象空間を快適な状態に維持できるようになる。例えば、室外ＳＯの空気に花粉が多く含まれている場合であっても、室内ＳＩの花粉の量が増えないように迅速に清浄化させることができ、室内ＳＩを快適な環境に維持できる。
【００６６】
（２）
また、例えば、室外ＳＯの花粉濃度が設定値より高く、ＮＯｘの濃度が設定値より低い場合等には、空気清浄装置２０による清浄運転を強化すべきか否かの判断が困難になる場合がある。
これに対して、上記実施形態における換気空調システム１００では、室内センサ４０において検出された換気対象要素の濃度および室外センサ５０において検出された清浄対象要素の濃度に対して、それぞれ重み付け処理を行っている。これにより、花粉、ＮＯｘ、ダスト毎に重み付け処理を行って、ユーザの希望に添った室内ＳＩの環境にすることが可能になる。
【００６７】
［変形例］
以上、本発明の一実施形態について説明したが、本発明は上記実施形態に限定されるものではなく、発明の要旨を逸脱しない範囲で種々の変更が可能である。
（Ａ）
上記実施形態における換気装置１０では、室内ＳＩの空気を室外ＳＯに向けて強制的に排出して換気制御を行う場合について例に挙げて説明を行った。
【００６８】
しかし、本発明はこれに限定されるものではなく、例えば、図４に示す換気空調システム２００のように、換気を行う機器としては、室外ＳＯの空気を室内ＳＩに向けて強制的に給気する換気装置２１０であってもよい。この場合には、室外ＳＯの空気の取り込み箇所を自由に選択することができる。このため、換気装置２１０は、室外ＳＯのうち、比較的空気の清浄度の高い空気が存在する場所に配置することができ、より効果的に新鮮な室外ＳＯの空気を取り込むことができるようになる。
【００６９】
（Ｂ）
上記実施形態における換気空調システム１００では、換気装置１０と空気清浄装置２０とが別々に設けられている場合について例に挙げて説明した。
しかし、本発明はこれに限定されるものではなく、例えば、図５に示す換気空調システム３００のように、室外ＳＯの空気を室内ＳＩに向けて強制的に給気する換気部３１０と空気清浄部３２０とが一体に設けられた換気清浄装置３０１が採用されるシステムであってもよい。この場合には、換気清浄装置３０１において、室内ＳＩの所定の位置から給気を行う換気部３１０と空気清浄部３２０との連動制御が行われることにより、換気によって室内ＳＩに取り込もうとする室外ＳＯの空気に含まれる清浄対象要素を、室内ＳＩに取り込まれる前に清浄化させることができる。これにより、換気に伴って室内ＳＩに流れ込む花粉等の量を低減させることができ、室内ＳＩをより快適な状態に保つことができる。
【００７０】
（Ｃ）
上記実施形態における換気空調システム１００では、室内センサ４０が室内ＳＩに設けられ、室外センサ５０が室外ＳＯに設けられている場合について例に挙げて説明した。
しかし、本発明はこれに限定されるものではなく、例えば、図６の換気空調システム４００のブロック図に示すように、室外センサ４５０は空気清浄装置４２０に設けられ、室内センサ４４０は換気装置４１０に設けられるようにして換気空調システム４００が構成されていてもよい。この場合であっても、上記実施形態における効果と同様の効果を奏することができる。
【００７１】
（Ｄ）
上記実施形態における換気空調システム１００では、換気装置１０と空気清浄装置２０とがそれぞれ制御装置６０に対して通信線を介して接続されている場合を例に挙げて説明した。
しかし、本発明はこれに限定されるものではなく、例えば、図７に示す換気空調システム５００のように、換気装置５１０と、空気清浄装置５２０と、制御装置５６０とが、有線を介することなく、互いに赤外線信号を送受信する等して上記連動制御を行うような換気空調システム５００であってもよい。この場合には、空気清浄装置５２０は、赤外線信号等を受信可能な場所に設けられていればよく、室内ＳＩにおける配置の自由度を向上させることができる。このため、室内ＳＩのうち、特に清浄化したいエリアに空気清浄装置５２０を配置させることが可能になり、各ユーザの希望に沿った清浄化が可能になる。
【００７２】
（Ｅ）
上記実施形態における換気空調システム１００では、ＣＯ，ＣＯ２等の換気対象要素と、ダスト等の清浄対象要素との両要素を検知する室内センサ４０について例に挙げて説明した。
しかし、本発明はこれに限定されるものではなく、例えば、室内センサ４０は、ＣＯ，ＣＯ２等の換気対象要素のみを検知するものであってもよい。例えば、室内センサ４０によって設定値を超える濃度のＣＯ濃度，ＣＯ2濃度が検知された場合に、制御装置６０は、換気装置１０を自動的に運転させつつ、換気装置１０の運転状態等に基づいて空気清浄装置２０を連動制御することもできる。このため、清浄対象要素について検出しない室内センサであっても、室内ＳＩの自動換気を可能にしつつ換気と空気清浄との連動制御が可能になるため、コストを抑えた室内センサによって有効な自動換気と空気清浄を連動させることができる。
【００７３】
（Ｆ）
上記実施形態における換気空調システム１００では、室内センサ４０と、室外センサ５０との両センサが設けられている場合について例に挙げて説明した。
しかし、本発明はこれに限定されるものではなく、例えば、上記実施例における室内センサ４０が設けられておらず、室外センサ５０のみが設けられている換気空調システムであってもよい。このような換気空調システムであっても、例えば、室外センサ５０による花粉濃度，ＮＯｘ濃度，ダスト濃度の検知に基づいて室外ＳＯの空気が換気設定値よりもきれいな状態にあると制御装置６０が判断すれば、制御装置６０は、換気装置１０の運転を開始させたり、換気装置１０の運転を強めたりすることが可能になる。このような場合には、室内ＳＩの空気の清浄化を、空気清浄装置２０のみで行うのではなく、換気装置１０による換気運転で室内ＳＩの空気を清浄化することができる。これにより、上記条件のような場合に、換気装置１０と空気清浄装置２０との連動制御によって、空気清浄装置２０の負担を軽減させて省エネを図りつつ、室内ＳＩを快適に保つことが可能になる。
【００７４】
（Ｇ）
上記実施形態における換気空調システム１００では、室内センサ４０と、室外センサ５０との両センサが設けられている場合について例に挙げて説明した。
しかし、本発明はこれに限定されるものではなく、例えば、上記実施例における室外センサ５０が設けられておらず、室内センサ４０のみが設けられているシステムであってもよい。このようなシステムであっても、例えば、室内センサ４０によって換気設定値を超える濃度のＣＯ濃度，ＣＯ2濃度が検知された場合に、制御装置６０は、換気装置１０を自動的に運転させつつ、換気装置１０の運転状態等に基づいて空気清浄装置２０の運転状態を制御することができる。このため、室内ＳＩを自動換気を可能にしつつ、換気と空気清浄との連動制御が可能になるため、コストを抑えたシステムによって有効な自動換気と空気清浄を連動させることが可能になる。
【００７５】
（Ｈ）
上記実施形態における換気空調システム１００では、室内センサ４０と、室外センサ５０との両センサが設けられている場合について例に挙げて説明した。
しかし、本発明はこれに限定されるものではなく、例えば、上記実施例における室内センサ４０および室外センサ５０の両方とも設けられていない換気空調システムであってもよい。このような換気空調システムであっても、例えば、手動で操作される換気装置１０の運転状態等に基づいて、制御装置６０が、空気清浄装置２０の運転状態を制御することができる。このため、換気と空気清浄との連動制御が可能になり、コストを抑えたシステムによって換気と空気清浄を連動させることが可能になる。
【産業上の利用可能性】
【００７６】
本発明によれば、換気によって汚染要素が取り込まれるおそれがあっても環境改善の実効性を確保することが可能になるため、換気装置によって換気を行う換気空気システムや換気空調制御方法への適用が特に有用である。
【図面の簡単な説明】
【００７７】
【図１】換気空調システムの概略構成図。
【図２】換気空調システムのブロック構成図。
【図３】換気空調システムにおける連動制御の流れを示すフローチャート。
【図４】変形例（Ａ）における換気空調システムの概略構成図。
【図５】変形例（Ｂ）における換気空調システムの概略構成図。
【図６】変形例（Ｃ）における換気空調システムのブロック構成図。
【図７】変形例（Ｄ）における換気空調システムの概略構成図。
【符号の説明】
【００７８】
１０    換気装置
２０    空気清浄装置
４０    内部情報取得部（室内センサ）
５０    外部情報取得部（室外センサ）
６０    制御部（制御装置）
６５    記憶部（メモリ）
ＯＡ    外部の空気（外気）
ＳＩ    対象空間（室内）
【図１】
2006098007.tif 000003
【図２】
2006098007.tif 000004
【図３】
2006098007.tif 000005
【図４】
2006098007.tif 000006
【図５】
2006098007.tif 000007
【図６】
2006098007.tif 000008
【図７】
2006098007.tif 000009